(57)【要約】【課題】本発明は、照明状態を変更することができる発光ダイオード照明装置を提供する。【解決手段】本発明に係る発光ダイオード照明装置は、第一ハウジング及び該第一ハウジングの内部に収容される第一ライトストリップを含む第一照明装置と、第二ハウジング及び該第二ハウジングの内部に収容される第二ライトストリップを含む第二照明装置と、を備え、第二照明装置は、第一照明装置に移動可能に装着され、第一照明装置と第二照明装置との相対位置を調整することにより、第二照明装置の第二ライトストリップにおける第一照明装置の第一ハウジングによって覆われる発光区域を変更する。【選択図】図２
2013118184.tif 000002
【特許請求の範囲】
【請求項１】
第一ハウジング及び該第一ハウジングの内部に収容される第一ライトストリップを含む第一照明装置と、第二ハウジング及び該第二ハウジングの内部に収容される第二ライトストリップを含む第二照明装置と、を備える発光ダイオード照明装置において、
第二照明装置は、第一照明装置に移動可能に装着され、第一照明装置と第二照明装置との相対位置を調整することにより、第二照明装置の第二ライトストリップにおける第一照明装置の第一ハウジングによって覆われる発光区域を変更することを特徴とする発光ダイオード照明装置。
【請求項２】
第一照明装置の第一ハウジングは、中空殻体であり、その内部は、仕切り板を介して第一収容空間及び第二収容空間に分割され、第一ライトストリップは、第一収容空間に収容され、第二照明装置は、第二収容空間に収容され且つ該第二収容空間から引き出すことができることを特徴とする請求項１に記載の発光ダイオード照明装置。
【請求項３】
第一照明装置の第一ハウジングの後壁には、スライド軸が形成され、第二照明装置の第二ハウジングの前壁には、スライド溝が形成され、前記スライド軸が前記スライド溝に設置されることによって、第二照明装置の第二ハウジングが第一照明装置の第一ハウジングにスライド自在に装着されることを特徴とする請求項１に記載の発光ダイオード照明装置。
【発明の詳細な説明】
【技術分野】
【０００１】
本発明は、照明装置に関するものであり、特に発光ダイオード照明装置に関するものである。
【背景技術】
【０００２】
発光ダイオード（Ｌｉｇｈｔ  Ｅｍｉｔｔｉｎｇ  Ｄｉｏｄｅ、ＬＥＤ）は、電流を特定の波長の光に転換できる半導体素子からできており、高輝度、低電圧、低消費電力、長寿命である等の利点を有することから、従来の蛍光灯或いは白熱灯に代わって、ランプの光源として、現在広く利用されている。
【０００３】
通常、様々な空間における照明装置の発光効率に対する需要は異なる。一般的には、狭い照明空間では、発光効率が低い照明装置で良いが、広い空間では発光効率が高い照明装置を使用する必要がある。しかし、従来の発光ダイオード照明装置は、光源が固定されているため、異なる空間の照明要求に基づいて、照明状態を調整することはできない。
【発明の概要】
【発明が解決しようとする課題】
【０００４】
前記課題を解決するために、本発明は、照明状態を変更することができる発光ダイオード照明装置を提供することを目的とする。
【課題を解決するための手段】
【０００５】
本発明に係る発光ダイオード照明装置は、第一ハウジング及び該第一ハウジングの内部に収容される第一ライトストリップを含む第一照明装置と、第二ハウジング及び該第二ハウジングの内部に収容される第二ライトストリップを含む第二照明装置と、を備え、第二照明装置は、第一照明装置に移動可能に装着され、第一照明装置と第二照明装置との相対位置を調整することにより、第二照明装置の第二ライトストリップにおける第一照明装置の第一ハウジングによって覆われる発光区域を変更する。
【発明の効果】
【０００６】
従来の技術と比べて、本発明に係る本発明に係る発光ダイオード照明装置は、第一照明装置と第二照明装置との相対位置を調整することにより、第二照明装置の第二ライトストリップにおける第一照明装置の第一ハウジングによって覆われる発光区域を変更する。これにより、全体の発光ダイオード照明装置の照明範囲及び発光効率を調整することができるため、異なる空間の照明要求を満たすことができる。
【図面の簡単な説明】
【０００７】
【図１】本発明の第一実施形態に係る発光ダイオード照明装置の閉じた状態を示す図である。
【図２】図１に示す発光ダイオード照明装置の第二照明装置が第一照明装置から引き抜かれた状態を示す図である。
【図３】図１に示す発光ダイオード照明装置のＩＩＩ部分の拡大図である。
【図４】本発明の第二実施形態に係る発光ダイオード照明装置の閉じた状態を示す図である。
【図５】図４に示す発光ダイオード照明装置の第二照明装置が第一照明装置から引き抜かれた状態を示す図である。
【図６】図４に示す発光ダイオード照明装置の分解図である。
【図７】図４に示す発光ダイオード照明装置の他角度から見た分解図である。
【発明を実施するための形態】
【０００８】
以下、図面を参照して、本発明の実施形態について説明する。
【０００９】
図１及び図２を参照すると、本発明の第一実施形態に係る発光ダイオード照明装置１０は、帯状を呈し、且つ第一照明装置１１及び該第一照明装置１１に収容される第二照明装置１２を備える。第二照明装置１２は、第一照明装置１１とその形状がほぼ同じである。
【００１０】
第一照明装置１１は、更に、帯状の第一ハウジング１１０及び該第一ハウジング１１０に収容される第一ライトストリップ１１１を備える。第一ハウジング１１０は、長手方向におけるその両端が開口している帯状の中空殻体であり、前壁１１２と、該前壁１１２に対向する後壁１１４と、前壁１１２及び後壁１１４を連接する２つの側壁１１６と、を備える。前壁１１２、後壁１１４及び２つの側壁１１６は共に内室１１００を囲む。第一ハウジング１１０の上端には、上端部１１５が形成されるが、その形状は制限されず、封鎖される或いは封鎖されなくても良い。
【００１１】
前壁１１２の中央部には、第一ハウジング１１０の長手方向に沿って長方形の光透過窓１１２０が形成され、第一ライトストリップ１１１から出射する光は、該光透過窓１１２０を通過して、第一照明装置１１から出射される。第一ハウジング１１０の内室１１００には、第一ハウジング１１０の前壁１１２及び後壁１１４に平行し且つ第一ハウジング１１０の２つの側壁１１６の中央部と連接する仕切り板１１８が設置される。該仕切り板１１８は、内室１１００を、第一ハウジング１１０の長手方向に沿って第一収容空間１１７及び第二収容空間１１９に分割する。第一収容空間１１７は、第一ハウジング１１０の前壁１１２、側壁１１６及び仕切り板１１８に囲まれ、第二収容空間１１９は、第一ハウジング１１０の後壁１１４、側壁１１６及び仕切り板１１８に囲まれる。第一収容空間１１７のサイズは、第二収容空間１１９のサイズより小さい。第一ライトストリップ１１１は、第一収容空間１１７の内部に収容される。第一ライトストリップ１１１の前壁１１２側の表面には、複数のＬＥＤチップ１１３が設置され、また、該複数のＬＥＤチップ１１３は、前壁１１２の光透過窓１１２０を介して露出される。
【００１２】
図３を併せて参照すると、第二照明装置１２は、帯状の第二ハウジング１２０及び第二ハウジング１２０に収容される第二ライトストリップ１２１を備える。該第二ハウジング１２０は、帯状の中空殻体であり、前壁１２２と、該前壁１２２に対向する後壁１２４と、前壁１２２及び後壁１２４を連接する２つの側壁１２６と、を備える。第二ハウジング１２０のサイズと第一ハウジング１１０の第二収容空間１１９のサイズとは整合しており、第二照明装置１２は、該第二収容空間１１９にスライド自在に装着される。第二ライトストリップ１２１は、第二ハウジング１２０の内部に収容され、且つ、第二ハウジング１２０の前壁１２２側の表面に複数のＬＥＤチップ１２３が設置される。第二ハウジング１２０の前壁１２２の中央部には、第二ハウジング１２０の長手方向に沿って長方形の光透過窓１２２０が形成され、複数のＬＥＤチップ１２３は、前壁１２２の光透過窓１２２０を介して露出される。また、ＬＥＤチップ１２３から出射する光は、前記光透過窓１２２０を通過して、第二照明装置１２から出射する。第二ハウジング１２０の下端部には、半円形の操作部１２８が形成される。該操作部１２８と第一照明装置１１の第一ハウジング１１０とは、第二ハウジング１２０の長手方向に垂直する方向に同等の厚さを有し、第一照明装置１１が第二照明装置１２に完全に収容される際、該操作部１２８は、第一照明装置１１の第一ハウジング１１０の下端部の開口を完全に遮る。
【００１３】
第二照明装置１２の操作部１２８が、第一照明装置１１の第一ハウジング１１０の下端部に当接された際（即ち、発光ダイオード照明装置１０が図１に示す状態にある際）、第二照明装置１２は、操作部１２８以外は、第一照明装置１１の内部に、完全に収容されるので、第一照明装置１１のみが発光する。この状態の発光ダイオード照明装置１０は、狭い空間或いは発光効率が低い照明を必要とする場合に適用する。また、操作部１２８が第一照明装置１１の下端部の開口を完全に覆うので、第二照明装置１２が第一照明装置１１に収容された際、第一照明装置１１は、優れた気密性を有する。広い空間で使用する場合或いは発光効率が高い照明を必要とする場合、操作部１２８を介して、第二照明装置１２を第一照明装置１１の第二収容空間１１９から引き出せば良い。この際、第一照明装置１１の外部に露出された第二照明装置１２の長さを、操作部１２８を引き出す或いは押し上げることにより調整することができ、該調整により、第二照明装置１２の露出したＬＥＤチップ１２３の数量を変更して、発光効率を調整することができる。
【００１４】
また、感光コントロール或いは他の制御モジュールを介して露出したＬＥＤチップ１２３のみを点灯させ、この際、第一照明装置１１の第二収容空間１１９に収容されたＬＥＤチップ１２３は点灯させないことも可能である。
【００１５】
本実施形態の発光ダイオード照明装置１０は、異なる空間に基づいて、照明範囲及び照明の発光効率を調整することができ、異なる照明に対する要求に満たすことができる。また、発光ダイオード照明装置１０の照明状態を変更したい際は、第一照明装置１１から第二照明装置１２を引き出す、或いは第二照明装置１２を第一照明装置１１の中に押し上げるだけで良いため、操作が簡単である。
【００１６】
図４及び図５を参照すると、本発明の第二実施形態に係る発光ダイオード照明装置２０は帯状を呈し、且つ第一照明装置２１及び該第一照明装置２１の背面に貼設される第二照明装置２２を備える。第一照明装置１１及び第二照明装置１２の形状は、ほぼ同じ帯状である。
【００１７】
第一照明装置２１は、帯状の第一ハウジング２１０及び該第一ハウジング２１０に収容される第一ライトストリップ２１１を備える。第一ハウジング２１０は、前壁２１２と、該前壁２１２に対向する後壁２１４と、前壁２１２及び後壁２１４を連接する２つの側壁２１６と、を備える。前壁２１２の中央部には、第一ハウジング２１０の長手方向に沿って長方形の光透過窓２１２０が設けられる。第一ライトストリップ２１１の前壁２１２側の表面には、複数のＬＥＤチップ２１３が設置され、且つ、複数のＬＥＤチップ２１３は、前壁２１２の光透過窓２１２０を介して露出される。第一ライトストリップ２１１から出射する光は、前記光透過窓２１２０を通過して、第一照明装置２１から出射される。第一ハウジング２１０の下端部には、半円形の操作部２１８が形成される。操作部２１８と第一照明装置２１の第一ハウジング２１０とは、第一ハウジング２１０の長手方向に垂直する方向に同等の厚さを有する。
【００１８】
第二照明装置２２は、第一照明装置２１の後壁２１４に取り付けられ、帯状の第二ハウジング２２０及び該第二ハウジング２２０に収容される第二ライトストリップ２２１を備える。第二ハウジング２２０は、第二ライトストリップ２２１の両側における２つの前壁２２２と、該２つの前壁２２２に対向する後壁２２４と、２つの前壁２２２及び後壁２２４を連接する２つの側壁２２６と、を備える。２つの前壁２２２は、互いに離間して光透過窓２２２０が形成される。第二ライトストリップ２２１の２つの前壁２２２に向かう表面には、複数のＬＥＤチップ２２３が設置される。また、該複数のＬＥＤチップ２２３は、光透過窓２２２０を介して露出される。第二ハウジング２２０の下端部には、半円形の操作部２２８が形成され、該操作部２２８の形状と第一照明装置２１の操作部２２８の形状とは、同じである。
【００１９】
図６及び図７を参照すると、第二照明装置２２の２つの前壁２２２には、スライド溝２２２１がそれぞれ形成され、該２つのスライド溝２２２１は、対応する側壁２２６に近い位置に対称的に設けられ、且つ、第二照明装置２２の長手方向に沿って第二照明装置２２の操作部２２８から第二照明装置２２の操作部２２８から離れる上端部まで延伸する。第一照明装置２１の後壁２１４の２つの側壁２１６に近い位置には、第一照明装置２１の長手方向に沿ってスライド軸２１４１がそれぞれ形成され、２つの該スライド軸２１４１は、第二照明装置２２の２つのスライド溝２２２１にそれぞれ対応する。
【００２０】
第二照明装置２２は、第一照明装置２１の２つのスライド軸２１４１が第二照明装置２２の２つのスライド溝２２２１に設置されることによって、第一照明装置２１の後壁２１４に対して自在にスライド可能である。操作部２１８と操作部２２８とが互いに重なる際（図４に示す状態）、第二照明装置２２は、第一照明装置２１によって完全に覆われるので、第一照明装置２１のみが発光する。この状態の発光ダイオード照明装置２０は、狭い照明空間或いは発光効率が低い照明を必要とする場合に適用する。広い空間で使用する場合或いは発光効率が高い照明を必要とする場合、操作部２２８を介して第二照明装置２２を第一照明装置２１の後壁２１４から引き出せば良い。この際、第一照明装置２１の外部に露出された第二照明装置２２の長さを、操作部２２８を引き出す或いは押し上げることにより調整することができ、該調整により、第二照明装置２２の露出したＬＥＤチップ２２３の数量を変更して、発光効率を調整することができる。
【００２１】
また、感光コントロール或いは他の制御モジュールを介して、第二照明装置２２の露出したＬＥＤチップ２２３のみを点灯させ、この際、第一照明装置２１によって覆われたＬＥＤチップ２２３は点灯させないことも可能である。
【００２２】
本実施形態の発光ダイオード照明装置２０は、照明状態を変更したい際、第一照明装置１１から第二照明装置１２を引き出すか、或いは第一照明装置１１に向けて第二照明装置１２を押し上げるだけで良いため、操作が簡単である。
【００２３】
本発明の発光ダイオード照明装置１０、２０が閉じた状態にある場合（即ち、第二照明装置１２、２２の第二ライトストリップ１２１、２２１が、第一照明装置１１、２１によって完全に覆われた状態）、第一照明装置１１、２１のＬＥＤチップ１１３、２１３のみが発光し、第二照明装置１２、２２のＬＥＤチップ１２３、２２３は発光しない。第二照明装置１２、２２を第一照明装置１１、２１から引き出した際（即ち、第二照明装置１２、２２の第二ライトストリップ１２１、２２１の一部或いは全てが露出された状態）、露出された第二照明装置１２、２２のＬＥＤチップ１２３、２２３は発光する。従って、発光ダイオード照明装置１０、２０の全体の発光効率を向上させることができる。本発明の発光ダイオード照明装置１０、２０は、第一照明装置１１、２１と第二照明装置１２、２２との間の相対位置を調整することによって、照明範囲及び発光効率を調整し、異なる空間における照明に対する要求を満たすことができる。また、発光ダイオード照明装置１０、２０の照明状態を変更したい際、第一照明装置１１から第二照明装置１２を引き出す、或いは押し上げるだけで良いため、操作が簡単である。
【００２４】
他の実施形態において、第一照明装置１１の長さと第二照明装置１２の長さとは、同じでなくても良い。また、発光ダイオード照明装置１０は、２つの照明装置１１、１２に限定されるものではなく、具体的な情況に基づいて、照明装置１１、１２の数量を増加しても良い。また、第二照明装置１２は、引き出す及び押し上げる方法に限定されるものではなく、回転などの他の方法を介して、第一照明装置１１と第二照明装置１２との相対位置を変更しても良い。
【符号の説明】
【００２５】
１０、２０  発光ダイオード照明装置
１１、２１  第一照明装置
１１０、２１０  第一ハウジング
１２０、２２０  第二ハウジング
１１２、１２２、２１２、２２２  前壁
１１２０、１２２０、２１２０、２２２０  光透過窓
１１４、１２４、２１４、２２４  後壁
１１６、１２６、２１６、２２６  側壁
１１８  仕切り板
１１１、２１１  第一ライトストリップ
１２１、２２１  第二ライトストリップ
１１３、１２３、２１３、２２３  ＬＥＤチップ
１１５  上端部
１１００  内室
１１７  第一収容空間
１１９  第二収容空間
１２、２２  第二照明装置
１２８、２１８、２２８  操作部
２１４１  スライド軸
２２２１  スライド溝
【図１】
2013118184.tif 000003
【図２】
2013118184.tif 000004
【図３】
2013118184.tif 000005
【図４】
2013118184.tif 000006
【図５】
2013118184.tif 000007
【図６】
2013118184.tif 000008
【図７】
2013118184.tif 000009